【手続補正書】
【提出日】平成25年2月1日(2013.2.1)
【手続補正１】
【補正対象書類名】明細書
【補正対象項目名】発明の名称
【補正方法】変更
【補正の内容】
【発明の名称】場所情報取得装置、場所情報取得方法、及びプログラム
【手続補正２】
【補正対象書類名】明細書
【補正対象項目名】０００１
【補正方法】変更
【補正の内容】
【０００１】
本発明は、行動場所を示す情報を取得する場所情報取得装置、場所情報取得方法、及びプログラムに関するものである。
【手続補正３】
【補正対象書類名】明細書
【補正対象項目名】０００８
【補正方法】変更
【補正の内容】
【０００８】
前記課題を解決するため、本発明に係る行動履歴記録装置にあっては、現在位置を検出して位置データを取得する位置検出手段と、前記位置検出手段により過去に取得された複数の位置データを記憶する位置記憶手段と、位置データを場所名に変換する変換手段と、前記位置検出手段により新たに取得された位置データが前記位置記憶手段に記憶されている複数の位置データのいずれかと一致するか否かを判断する判断手段と、前記判断手段により一致すると判断された場合に、前記新たに取得された位置データを前記変換手段により場所名に変換する変換制御手段と、を備えたことを特徴とする。
【手続補正４】
【補正対象書類名】明細書
【補正対象項目名】０００９
【補正方法】変更
【補正の内容】
【０００９】
本発明によれば、例えば、個人の行動履歴の記録などに際し、ユーザが過去に訪れた行動場所であれば、その場所名として、ユーザにとって都合のよい適切な場所名を自動的に取得することができる。
【手続補正５】
【補正対象書類名】特許請求の範囲
【補正対象項目名】全文
【補正方法】変更
【補正の内容】
【特許請求の範囲】
【請求項１】
現在位置を検出して位置データを取得する位置検出手段と、
前記位置検出手段により過去に取得された複数の位置データを記憶する位置記憶手段と、
位置データを場所名に変換する変換手段と、
前記位置検出手段により新たに取得された位置データが前記位置記憶手段に記憶されている複数の位置データのいずれかと一致するか否かを判断する判断手段と、
前記判断手段により一致すると判断された場合に、前記新たに取得された位置データを前記変換手段により場所名に変換する変換制御手段と、
を備えたことを特徴とする場所情報取得装置。
【請求項２】
前記変換手段は、複数の位置データの各々に対応させて複数の場所名を記憶する場所名記憶手段を含み、変換対象となる位置データに対応する場所名を前記場所名記憶手段から検索することで、位置データを場所名に変換することを特徴とする請求項１記載の場所情報取得装置。
【請求項３】
前記場所名記憶手段は、使用者に固有の特定の場所に関して、その位置データと場所名を記憶することを特徴とする請求項１または２に記載の場所情報取得装置。
【請求項４】
前記変換手段は、
変換対象となる位置データに対応する場所名が前記場所名記憶手段から検索されなかった場合に、この位置データに対応する場所名を取得する名称取得手段と、
この名称取得手段により取得された場所名を、当該位置データと対応付けて前記場所名記憶手段に追加して記憶させる場所名追加手段と、
を含むことを特徴とする請求項１乃至３のいずれかに記載の場所情報取得装置。
【請求項５】
前記位置検出手段により取得される位置データを、当該位置データの取得日と対応付けて使用者の行動履歴を示す行動履歴情報として前記位置記憶手段に順に記憶していく行動履歴記憶制御手段を更に備え、
前記判断手段は、前記位置検出手段により新たに取得された位置データが示す場所が、使用者に固有の特定の場所であるか否かを、前記記憶手段に記憶されている行動履歴情報に基づいて判断することを特徴とする請求項１乃至４のいずれかに記載の場所情報取得装置。
【請求項６】
前記位置検出手段により取得される位置データを、当該位置データの取得日と対応付けて使用者の行動履歴を示す行動履歴情報として前記位置記憶手段に順に記憶していく行動履歴記憶制御手段と、
前記位置記憶手段に記憶されている行動履歴情報を表示する場合に、前記位置データの代わりに前記変換制御手段により変換された場所名を表示させる行動履歴表示制御手段と、
を更に備えたことを特徴とする請求項１乃至４のいずれかに記載の場所情報取得装置。
【請求項７】
前記位置検出手段により取得される位置データを、当該位置データの取得日と対応付けて使用者の行動履歴を示す行動履歴情報として前記位置記憶手段に順に記憶していく行動履歴記憶制御手段を更に備え、
前記行動履歴記憶制御手段は、前記変換手段により位置データが場所名に変換された場合は、前記位置データの代わりに前記場所名を用いて前記行動履歴情報を記憶させることを特徴とする請求項１乃至４のいずれかに記載の場所情報取得装置。
【請求項８】
前記判断手段は、前記位置記憶手段に、前記位置検出手段により新たに取得された位置データにより示される使用者の行動場所と同一と判断できる場所を示す位置データが周期的に記憶されている場合に、使用者の行動場所が前記特定の場所であると判断することを特徴とする請求項５記載の場所情報取得装置。
【請求項９】
前記判断手段は、前記位置記憶手段に、前記位置検出手段により新たに取得された位置データにより示される使用者の行動場所と同一と判断できる場所を示す位置データが予め決められている以上の頻度で記憶されている場合に、使用者の行動場所が前記特定の場所であると判断することを特徴とする請求項５記載の場所情報取得装置。
【請求項１０】
前記名称取得手段は、前記位置データに対応する場所名として、使用者により決められた名称を取得することを特徴とする請求項４記載の場所情報取得装置。
【請求項１１】
前記名称取得手段は、前記位置データに対応する場所名として、地図データ内の当該位置データが示す位置に対応して記憶されている場所や建造物の名称を取得することを特徴とする請求項４記載の場所情報取得装置。
【請求項１２】
前記名称取得手段は、前記位置データに対応する場所名を、ネットワークを介して他の装置から取得することを特徴とする請求項４記載の場所情報取得装置。
【請求項１３】
仮の場所名を使用者に提供する名称提供手段を更に備え、
前記名称取得手段は、前記名称提供手段により提供された仮の場所名を取得することを特徴とする請求項４記載の場所情報取得装置。
【請求項１４】
前記場所名記憶手段に記憶されている場所名を使用者の要求に応じて修正する修正手段を備えたことを特徴とする請求項１３記載の場所情報取得装置。
【請求項１５】
前記位置検出手段により位置データが取得されたときの使用者の行動種別を示す行動種別情報を取得する行動種別情報取得手段を更に備え、
前記行動履歴記憶制御手段は、前記位置検出手段により取得される位置データと、当該位置データの取得日と、前記行動種別情報取得手段により取得された行動種別情報とを対応付けて使用者の行動履歴を示す行動履歴情報として前記記憶手段に順に記憶していくことを特徴とする請求項５に記載の場所情報取得装置。
【請求項１６】
前記位置記憶手段に記憶されている行動履歴情報に基づいて、使用者の行動する位置、日時、行動種別を示す行動日記を作成する日記生成手段を更に備えたことを特徴とする請求項１５記載の場所情報取得装置。
【請求項１７】
前記日記生成手段は、前記行動日記として、行動種別情報が示す行動種別を使用者に相当するキャラクタの動きによって表現した個別の動画像が、対応する行動種別情報の記憶順に連結された行動履歴動画を作成することを特徴とする請求項１６記載の場所情報取得装置。
【請求項１８】
前記日記生成手段は、前記個別の動画像に、使用者の行動場所を示す場所名を重畳した行動履歴動画を作成することを特徴とする請求項１７記載の場所情報取得装置。
【請求項１９】
現在位置を検出して位置データを取得する位置検出工程と、
前記位置検出工程により過去に取得された複数の位置データを記憶手段に記憶する記憶工程と、
位置データを場所名に変換する変換工程と、
前記位置検出工程により新たに取得された位置データが前記記憶手段に記憶されている複数の位置データのいずれかと一致するか否かを判断する判断工程と、
前記判断工程により一致すると判断された場合に、前記新たに取得された位置データを前記変換工程により場所名に変換する変換制御工程と、
を含むことを特徴とする場所情報取得方法。
【請求項２０】
コンピュータを、
現在位置を検出して位置データを取得する位置検出手段、
前記位置検出手段により過去に取得された複数の位置データを記憶する位置記憶手段、
位置データを場所名に変換する変換手段、
前記位置検出手段により新たに取得された位置データが前記位置記憶手段に記憶されている複数の位置データのいずれかと一致するか否かを判断する判断手段、
前記判断手段により一致すると判断された場合に、前記新たに取得された位置データを前記変換手段により場所名に変換する変換制御手段、
して機能させることを特徴とするプログラム。